(57)【要約】      （修正有）【課題】大小多種サイズの機種の携帯情報端末に対応することができ、地面等に落下した際の衝撃を効果的に緩和する携帯情報端末用保護カバーを提供する。【解決手段】携帯情報端末の四隅に取り付けられる４つの弾性コーナー部２と、携帯情報端末の四側面に取り付けられ前記四隅の弾性コーナー部２同士を連結する４つの弾性側面部３と、携帯情報端末の背面に取り付けられ前記弾性コーナー部２同士又はその近傍を交叉連結する２つの弾性交叉帯部４とを有し、各弾性コーナー部２は、内側に窪み部を備えており、この窪み部に携帯情報端末の四隅を挿入して保持すると、４つの弾性コーナー部２は携帯情報端末の外周面から突出する。【選択図】図１
0003206197.tif 000002
【実用新案登録請求の範囲】
【請求項１】
携帯情報端末の四隅に取り付けられる４つの弾性コーナー部と、携帯情報端末の四側面に取り付けられ前記四隅の弾性コーナー部同士を連結する４つの弾性側面部と、携帯情報端末の背面に取り付けられ前記弾性コーナー部同士又はその近傍を交叉連結する２つの弾性交叉帯部とを有し、各弾性コーナー部は、内側に窪み部を備えており、この窪み部に携帯情報端末の四隅を挿入して保持すると、４つの弾性コーナー部は携帯情報端末の外周面から突出する構成であることを特徴とする携帯情報端末保護カバー。
【請求項２】
各弾性側面部は、携帯情報端末の前面及び背面をも被覆する構成であることを特徴とする請求項１に記載の携帯情報端末用保護カバー。
【請求項３】
各弾性側面部は、携帯情報端末の側面に対向するスリットを有することを特徴とする請求項１又は２に記載の携帯情報端末用保護カバー。
【請求項４】
弾性交叉帯部の少なくとも１箇所は、弾性コーナー部連結部分に連結されることなく、この弾性コーナー部に連結されている弾性側面部に連結され、かつ、この弾性コーナー部には、装着時の利便性のために役立つ開口部が形成されていることを特徴とする請求項１，２又は３に記載の携帯情報端末用保護カバー。
【請求項５】
全体がシリコーンによって形成されていることを特徴とする請求項１〜４のいずれかに記載の携帯情報端末用保護カバー。
【請求項６】
弾性交叉帯部の内側に手指を挿入することにより、携帯情報端末を保持可能な構成であることを特徴とする請求項１〜５のいずれかに記載の携帯情報端末用保護カバー。
【請求項７】
弾性交叉帯部の交叉点、弾性コーナー部、その他いずれかの部分は、キャラクターその他の装飾体が取り付けられていることを特徴とする請求項１〜６のいずれかに記載の携帯情報端末用保護カバー。
【考案の詳細な説明】
【技術分野】
【０００１】
本考案は、シリコーン等の合成樹脂で成形された携帯情報端末用保護カバーである。詳しくは、伸縮自在であり、様々な大きさの携帯情報端末を収容することが可能であり、携帯情報端末が落下した際などに、その衝撃を緩和することができる携帯情報端末用保護カバーである。
【背景技術】
【０００２】
携帯情報端末が落下した際などに、その衝撃を緩和する技術として、下記特許文献１に記載のものが知られている。即ち、バウンド式ケースは、ハウジングと複数の弾性部材を有し、ハウジングは、弾性部材よりも硬質で、携帯型電子機器を収納するための空洞を有し、弾性部材は、携帯型電子機器の外面よりも突出するように形成された外面を具え、４０％超の弾性率を有しており、携帯型電子機器が地面に落下すると、弾性部材は、バウンドを繰返す間に、衝撃運動エネルギーを弾性部材の弾性ポテンシャルエネルギーに転換して、携帯型電子機器を保護する構成である。
【０００３】
この技術は、大小多種サイズの機種が存在する携帯情報端末に対応することができない不都合がある。
【０００４】
この点を解決する技術として、下記特許文献２に記載のものが知られている。即ち、盤状のケースの正面に設けられた長方形のディスプレイと、前記ディスプレイの縦向き姿勢と横向き姿勢の姿勢変化を検知する検知手段と、前記検知された姿勢に応じて画像を縦向き表示と横向き表示の間で変化させる表示処理手段を備えたタブレット型携帯端末機器のホルダー装置であり、前記ホルダー装置は、前記ケースの周縁に外嵌されるプロテクタと、前記ケースの背面中央部に配置される手持ち保持手段により構成され、前記プロテクタは、前記ケースの周縁に外嵌した状態で相互に離間する第１プロテクタと第２プロテクタを構成し、前記第１プロテクタ及び第２プロテクタは、それぞれ、２つのパッドと、両パッドの連設部を相互に連結する弾性索条を弾性材により一体成形しており、それぞれのプロテクタの弾性索条をケースの背面上で伸長させた状態で各２つのパッドをケースの四隅のうち２個所の隅部に外嵌し、弾性索条の弾性収縮力により各パッドをケースの隅部に脱落不能に弾接状態で装着するように構成され、前記手持ち保持手段は、前記ケースの背面中央部に配置される盤体と、該盤体の上にアーチ状に設けられた抱持手段と、前記弾性索条を更に伸長させた状態で係脱自在に係止する係止手段を備えており、前記ケースの背面から離反する方向の高さ距離Ｈに関して、前記連設部を前記高さ距離Ｈの下端に配置し、前記係止手段を前記高さ距離Ｈの上端に配置するように構成されており、前記弾性索条の収縮力により、前記手持ち保持手段の盤体をケースの背面に弾接させるように構成して成る構成である。
【０００５】
この技術は、大小多種サイズの機種の携帯情報端末に対応できるものの、携帯情報端末の四側面部の保護が不充分である。即ち、ほぼ平面な地上等に落下した際には、携帯情報端末の四側面部も弾性パッドによって保護されるものの、多少凹凸のある地面等に落下した際には、携帯情報端末の保護が充分ではない。
【先行技術文献】
【特許文献】
【０００６】
【特許文献１】実用新案登録第３１８３２６９号公報
【特許文献２】特許第５８２０５０５号公報
【考案の概要】
【考案が解決しようとする課題】
【０００７】
本考案の第１の目的は、大小多種サイズの機種の携帯情報端末に対応することができ、地面等に落下した際の衝撃を効果的に緩和する携帯情報端末用保護カバーを提供することである。
【０００８】
本考案の第２の目的は、多少凹凸のある地面等に落下した際でも、携帯情報端末の四側面部までも効果的に保護することができる携帯情報端末用保護カバーを提供することである。
【０００９】
本考案の第３の目的は、大小多種サイズの機種に対して容易に装着できる携帯情報端末用保護カバーを提供することである。
【課題を解決するための手段】
【００１０】
１．上記課題を解決する本考案は、携帯情報端末の四隅に取り付けられる４つの弾性コーナー部と、携帯情報端末の四側面に取り付けられ前記四隅の弾性コーナー部同士を連結する４つの弾性側面部と、携帯情報端末の背面に取り付けられ前記弾性コーナー部同士又はその近傍を交叉連結する２つの弾性交叉帯部とを有し、各弾性コーナー部は、内側に窪み部を備えており、この窪み部に携帯情報端末の四隅を挿入して保持すると、４つの弾性コーナー部は携帯情報端末の外周面から突出する構成であることを特徴とする携帯情報端末保護カバーである。
【００１１】
２．各弾性側面部は、携帯情報端末の前面及び背面をも被覆する構成であることを特徴とする前記１に記載の携帯情報端末用保護カバーである。
【００１２】
３．各弾性側面部は、携帯情報端末の側面に対向するスリットを有することを特徴とする前記１又は２に記載の携帯情報端末用保護カバーである。
【００１３】
４．弾性交叉帯部の少なくとも１箇所は、弾性コーナー部連結部分に連結されることなく、この弾性コーナー部に連結されている弾性側面部に連結され、かつ、この弾性コーナー部には、装着時の利便性のために役立つ開口部が形成されていることを特徴とする前記１，２又は３に記載の携帯情報端末用保護カバーである。
【００１４】
５．全体がシリコーンによって形成されていることを特徴とする前記１〜４のいずれかに記載の携帯情報端末用保護カバーである。
【００１５】
６．弾性交叉帯部の内側に手指を挿入することにより、携帯情報端末を保持可能な構成であることを特徴とする前記１〜５のいずれかに記載の携帯情報端末用保護カバーである。
【００１６】
７．弾性交叉帯部の交叉点、弾性コーナー部、その他いずれかの部分は、キャラクターその他の装飾体が取り付けられていることを特徴とする前記１〜６のいずれかに記載の携帯情報端末用保護カバーである。
【考案の効果】
【００１７】
請求項１によれば、本考案の第１の目的を達成できる。
請求項２によれば、本考案の第１及び第２の目的を達成できる。
請求項３によれば、本考案の第１、第２及び第３の目的を達成できる。
請求項４によれば、本考案の第１及び第２の目的を達成でき、特に第３の目的を達成することが容易となる。
請求項５によれば、本考案の第１〜３の目的を達成することが容易となる。
請求項６によれば、携帯情報端末の使用感を向上できるだけでなく、携帯情報端末の保持が容易となる。
請求項７によれば、携帯情報端末の趣向性を向上できる。
【図面の簡単な説明】
【００１８】
【図１】本考案に係る携帯情報端末の実施例を示す正面図。
【図２】本考案に係る携帯情報端末の実施例を示す平面図。
【図３】本考案に係る携帯情報端末の実施例を示す背面図。
【図４】本考案に係る携帯情報端末の実施例を示す左側面図。
【図５】第１図のV−V線断面図。
【図６】第１図のVI−VI線断面図。
【図７】第１図のVII−VII線断面図。
【図８】携帯情報端末に装着した状態を示す正面図。
【考案を実施するための形態】
【００１９】
次に添付の図面に従って本考案について説明する。
【００２０】
本考案に係る携帯情報端末保護カバーは、携帯情報端末１の四隅に取り付けられる４つの弾性コーナー部２と、携帯情報端末１の四側面部に取り付けられ前記四隅の弾性コーナー部２同士を連結する４つの弾性側面部３と、携帯情報端末１の背面に取り付けられ前記弾性コーナー部２同士を交叉連結する２つの弾性交叉帯部４とを有し、各弾性コーナー部２は、内側に窪み部５を備えており、この窪み部５に携帯情報端末１の四隅を挿入して保持すると、４つの弾性コーナー部２は携帯情報端末１の外周面から突出する構成である。
【００２１】
さらに、各弾性側面部３は携帯情報端末１の前面及び背面をも被覆する前面被覆部３ａ及び後面被覆部３ｂを有する構成である。
【００２２】
そして、前記各弾性側面部３は、携帯情報端末１の側面に対向するスリット３ｃを有する。
【００２３】
また、前記弾性交叉帯部４の少なくとも１箇所４ａは、弾性コーナー部２連結部分に連結されることなく、この弾性コーナー部２に連結されている弾性側面部３に連結され、かつこの弾性コーナー部２には、装着時の利便性のために役立つ開口部６が前記窪み部５と連結するように形成されている。
【００２４】
本考案に係る携帯情報端末保護カバーは、ゴム、弾性合成樹脂、その他の弾性体で形成されるが、特に全体がシリコーンによって形成されていることが好ましい。
【００２５】
本考案は、上記弾性交叉帯部４の内側に手指を挿入することにより、携帯情報端末を保持可能な構成である。
【００２６】
さらには、前記弾性交叉帯部４の交叉点４ｂ、弾性コーナー部２、その他いずれかの部分には、キャラクターその他の装飾体が取り付けられていてもよい。そのため、弾性交叉帯部４の交叉点４ｂは、弾性交叉帯部４の幅よりも膨出していることが好ましい。なお、装飾体の取り付け手段は、接着、粘着、溶着、止着具使用に限らず、一体成形など公知公用のいずれの構成であってもよい。
【００２７】
なお、前記キャラクターは、いわゆるアニメーションの主人公、出演キャラクターに限らず、広告宣伝用キャラクターとして公知公用のいずれも含む。
【００２８】
なおまた、開口部６の位置は限定されず、携帯情報端末１の上方側・下方側のいずれの位置であってもよいし、かつ携帯情報端末１の左側・右側のいずれの位置であってもよい。
【００２９】
本考案に係る携帯情報端末の装備状態の一例は、図８に示されており、窪み部５が携帯情報端末１の四隅に嵌め込まれるように弾性側面部３を延ばしつつ装着すればよく、最後の四隅の１つに嵌め込む際に開口部６を利用することで、より容易に装着できる。即ち、この開口部６に手指を引っ掛けて外側に引っ張りながら携帯情報端末１の最後の四隅の１つに嵌め込めばよい。
【００３０】
本考案の弾性コーナー２は、前記特許文献１に示されるような球状、独楽状等に限定されず、図示されるような俵状などの公知公用のいずれの形状であってもよい。
【００３１】
なお、弾性側面部３、前面被覆部３ａ、後面被覆部３ｂ及び弾性交叉帯部４の肉厚は、０．５〜３．０ｍｍ程度が好ましく、１．０〜２．０ｍｍ程度が特に好ましい。
【００３２】
スリット３ｃの形状は問わず、公知公用のいずれであってもよい。そしてこのスリット３ｃの作用効果は、携帯情報端末の厚みの大小に対応できることである。
【００３３】
弾性交叉帯部４の幅は２〜２０ｍｍ程度が好ましく、３〜１５ｍｍ程度がより好ましい。ただし、この弾性交叉帯部４の幅は同一幅である必要はなく、公知公用のいずれの形状であってもよい。
【符号の説明】
【００３４】
１      携帯情報端末
２      弾性コーナー部
３      弾性側面部
３ａ    前面被覆部
３ｂ    後面被覆部
３ｃ    スリット
４      弾性交叉帯部
４ａ    弾性側面部連結部
４ｂ    交叉点
５      窪み部
６      開口部
【図１】
0003206197.tif 000003
【図２】
0003206197.tif 000004
【図３】
0003206197.tif 000005
【図４】
0003206197.tif 000006
【図５】
0003206197.tif 000007
【図６】
0003206197.tif 000008
【図７】
0003206197.tif 000009
【図８】
0003206197.tif 000010